(57)【特許請求の範囲】
【請求項１】
基部と、
前記基部から延在している腕部、および、前記腕部の前記基部側とは反対側に配置され、前記腕部が延在している第１方向に対して直交する第２方向に沿った幅が前記腕部よりも広い錘部を備えた振動腕と、
を備え、
前記振動腕は、
前記第１方向および前記第２方向に沿っており互いに表裏の関係にある第１の主面および第２の主面と、
前記第１の主面と前記第２の主面との間に配置された側面と、
を有し、
前記側面は、交互に配置された平面と曲面とで構成されており、
前記錘部においては、
前記腕部とは反対側の先端部における前記側面を第１の側面、
前記第１の側面の前記第２方向における一端に接続している前記側面を第２の側面、
前記第１の側面の前記第２方向における他端に接続している前記側面を第３の側面、
前記第２の側面の前記第１の側面とは反対側の端部に接続している前記側面を第４の側面、
前記第３の側面の前記第１の側面とは反対側の端部に接続している前記側面を第５の側面とし、
前記腕部においては、
前記錘部の前記第４の側面の前記第２の側面とは反対側の端部に接続している前記側面を第６の側面、
前記錘部の前記第５の側面の前記第３の側面とは反対側の端部に接続している前記側面を第７の側面とし、
前記第１の側面は、前記第２方向に沿った前記平面と、前記平面の前記第２方向における前記一端側および前記他端側に接続された前記曲面と、で構成され、
前記第２の側面は、前記第１の側面の前記一端側の前記曲面に接続し前記第１方向に沿った前記平面と、前記第４の側面との接続部に配置された前記曲面と、で構成され、
前記第３の側面は、前記第１の側面の前記他端側の前記曲面に接続し前記第１方向に沿った前記平面と、前記第５の側面との接続部に配置された前記曲面と、で構成され、
前記第４の側面は、前記第２の側面の前記曲面に接続し前記第２方向に沿った前記平面と、前記第６の側面との接続部に配置された前記曲面と、で構成され、
前記第５の側面は、前記第３の側面の前記曲面に接続し前記第２方向に沿った前記平面と、前記第７の側面との接続部に配置された前記曲面と、で構成されていることを特徴とする振動素子。
【請求項２】
前記側面は、ドライエッチング面である請求項１に記載の振動素子。
【請求項３】
１対の前記振動腕を有し、前記１対の振動腕の間の又部の前記側面は、前記曲面を有している請求項１または２に記載の振動素子。
【請求項４】
請求項１ないし３のいずれか１項に記載の振動素子と、
前記振動素子を収納しているパッケージと、を備えることを特徴とする振動子。
【請求項５】
請求項１ないし３のいずれか１項に記載の振動素子を備えることを特徴とするジャイロセンサー。
【請求項６】
請求項１ないし３のいずれか１項に記載の振動素子を備えることを特徴とする電子機器。
【請求項７】
請求項１ないし３のいずれか１項に記載の振動素子を備えることを特徴とする移動体。
【請求項８】
基板を用意する工程と、
前記基板にマスクを形成する工程と、
前記基板に対し、前記マスクを用いてドライエッチングを行い、
基部と、前記基部から延在している腕部、および、前記腕部の前記基部側とは反対側に配置され、前記腕部が延在している第１方向に対して直交する第２方向に沿った幅が前記腕部よりも広い錘部を備えた振動腕と、前記第１方向および前記第２方向に沿っており互いに表裏の関係にある第１の主面と第２の主面との間に配置され、かつ、交互に配置された平面と曲面とで構成される側面と、
を形成するドライエッチング工程と、を含み、
前記錘部においては、
前記腕部とは反対側の先端部における前記側面を第１の側面、
前記第１の側面の前記第２方向における一端に接続している前記側面を第２の側面、
前記第１の側面の前記第２方向における他端に接続している前記側面を第３の側面、
前記第２の側面の前記第１の側面とは反対側の端部に接続している前記側面を第４の側面、
前記第３の側面の前記第１の側面とは反対側の端部に接続している前記側面を第５の側面とし、
前記腕部においては、
前記錘部の前記第４の側面の前記第２の側面とは反対側の端部に接続している前記側面を第６の側面、
前記錘部の前記第５の側面の前記第３の側面とは反対側の端部に接続している前記側面を第７の側面とし、
前記第１の側面は、前記第２方向に沿った前記平面と、前記平面の前記第２方向における前記一端側および前記他端側に接続された前記曲面と、で構成され、
前記第２の側面は、前記第１の側面の前記一端側の前記曲面に接続し前記第１方向に沿った前記平面と、前記第４の側面との接続部に配置された前記曲面と、で構成され、
前記第３の側面は、前記第１の側面の前記他端側の前記曲面に接続し前記第１方向に沿った前記平面と、前記第５の側面との接続部に配置された前記曲面と、で構成され、
前記第４の側面は、前記第２の側面の前記曲面に接続し前記第２方向に沿った前記平面と、前記第６の側面との接続部に配置された前記曲面と、で構成され、
前記第５の側面は、前記第３の側面の前記曲面に接続し前記第２方向に沿った前記平面と、前記第７の側面との接続部に配置された前記曲面と、で構成されていることを特徴とする振動素子の製造方法。
【請求項９】
前記ドライエッチング工程では、前記振動素子の振動方向と交差する方向に対してドライエッチングを行う請求項８に記載の振動素子の製造方法。
【発明の詳細な説明】
【技術分野】
【０００１】
本発明は、振動素子、振動素子の製造方法、振動子、ジャイロセンサー、電子機器および移動体に関するものである。
【背景技術】
【０００２】
従来から、水晶を用いた振動素子が知られている（例えば、特許文献１参照）。このような振動素子は、種々の電子機器の基準周波数源、発信源、ジャイロセンサー等として広く用いられている。
【０００３】
特許文献１に記載の振動素子は、音叉型をなしており、基部と、基部から延出する１対の振動腕とを有している。また、各振動腕には、その上面および下面に開放する１対の溝が形成されている。また、振動素子は、互いに表裏の関係にあり、前記溝が形成されている１対の主面と、その１対の主面の間に配置された側面とを有している。
【０００４】
しかしながら、特許文献１に記載の振動素子では、基部の側面に鋭利な角部が形成されており、その角部には応力が集中するので、落下等の衝撃により、その角部から破損し易く、衝撃に対する耐久性が悪い。
【先行技術文献】
【特許文献】
【０００５】
【特許文献１】特開２００５−１８４７６７号公報
【発明の概要】
【発明が解決しようとする課題】
【０００６】
本発明の目的は、衝撃に対する耐久性を向上させることができる振動素子、振動素子の製造方法、振動子、ジャイロセンサー、電子機器および移動体を提供することにある。
【課題を解決するための手段】
【０００７】
本発明は、上述の課題の少なくとも一部を解決するためになされたものであり、以下の形態または適用例として実現することが可能である。
【０００８】
［適用例１］
本発明の振動素子は、互いに表裏の関係にある第１の主面および第２の主面と、前記第１の主面と前記第２の主面との間に配置された側面と、を有し、
前記側面は、交互に配置された平面と曲面とで構成されていることを特徴とする。
【０００９】
これにより、振動素子の側面において、鋭利な角部をなくすことができ、衝撃に対する耐久性を向上させることができる。
【００１０】
［適用例２］
本発明の振動素子では、基部と、前記基部から延びる少なくとも１つの振動腕と、を有することが好ましい。
【００１１】
これにより、振動腕の先端部の側面、すなわち振動素子の凸部の側面に湾曲面を形成することで、衝撃に対する耐久性を向上させることができる。
【００１２】
［適用例３］
本発明の振動素子では、１対の前記振動腕を有し、前記１対の振動腕の間の又部の側面は、前記曲面を有していることが好ましい。
【００１３】
これにより、前記又部の側面、すなわち振動素子の凹部の側面に曲面が形成され、衝撃に対する耐久性を向上させることができる。
【００１４】
［適用例４］
本発明の振動素子では、前記曲面は、前記第１の主面の平面視で、曲率半径が３μｍ以上５０μｍ以下の範囲内にある部分を有することが好ましい。
これにより、衝撃に対する耐久性をさらに向上させることができる。
【００１５】
［適用例５］
本発明の振動素子では、前記曲面には、凹状の曲面と、凸状の曲面とが含まれており、
前記凹状の曲面は、前記第１の主面の平面視で、曲率半径が５μｍ以上５０μｍ以下の範囲内にある部分を有し、
前記凸状の曲面は、前記第１の主面の平面視で、曲率半径が３μｍ以上３０μｍ以下の範囲内にある部分を有することが好ましい。
これにより、衝撃に対する耐久性をさらに向上させることができる。
【００１６】
［適用例６］
本発明の振動素子では、前記各曲面には、凹状の曲面と、凸状の曲面とが含まれており、
前記第１の主面の平面視で、平均曲率半径が、前記凸状の曲面より前記凹状の曲面の方が大きいことが好ましい。
【００１７】
これにより、振動素子の凸部の先端部の体積を大きくしつつ、振動素子の凸部および凹部に曲面を形成することができる。
【００１８】
［適用例７］
本発明の振動素子では、本発明の振動子は、本発明の振動素子と、
前記振動素子を収納しているパッケージと、を備えることを特徴とする。
【００１９】
これにより、振動素子の側面において、鋭利な角部をなくすことができ、衝撃に対する耐久性を向上させることができる。
【００２０】
［適用例８］
本発明のジャイロセンサーは、本発明の振動素子を備えることを特徴とする。
【００２１】
これにより、振動素子の側面において、鋭利な角部をなくすことができ、衝撃に対する耐久性を向上させることができる。
【００２２】
［適用例９］
本発明の電子機器は、本発明の振動素子を備えることを特徴とする。
【００２３】
これにより、振動素子の側面において、鋭利な角部をなくすことができ、衝撃に対する耐久性を向上させることができる。
【００２４】
［適用例１０］
本発明の移動体は、本発明の振動素子を備えることを特徴とする。
【００２５】
これにより、振動素子の側面において、鋭利な角部をなくすことができ、衝撃に対する耐久性を向上させることができる。
【００２６】
［適用例１１］
本発明の振動素子の製造方法は、基板を用意する工程と、
前記基板にマスクを形成する工程と、
前記基板に対し、前記マスクを用いてドライエッチングを行い、互いに表裏の関係にある第１の主面および第２の主面と、前記第１の主面と前記第２の主面との間に配置され、かつ、交互に配置された平面と曲面とで構成される側面を形成する工程と、
を含むことを特徴とする。
これにより、衝撃に対する耐久性に優れた振動素子を容易に製造することができる。
【００２７】
すなわち、ドライエッチングを用いることにより、振動素子の側面に平面および曲面を容易かつ精度良く形成することができ、また、振動素子の側面において、鋭利な角部をなくすことができるので、衝撃に対する耐久性を向上させることができる。
【００２８】
［適用例１２］
本発明の振動素子の製造方法では、前記側面を形成する工程では、前記振動素子の振動方向と交差する方向に対してドライエッチングを行うことが好ましい。
【００２９】
これにより、振動素子の振動方向に沿う方向に湾曲する曲面を容易かつ精度良く形成することができる。
【図面の簡単な説明】
【００３０】
【図１】本発明の振動子の第１実施形態を示す平面図である。
【図２】図１中のＡ−Ａ線断面図である。
【図３】図１中のＢ−Ｂ線断面図である。
【図４】図１に示す振動子の振動素子の断面図（図１中のＣ−Ｃ線断面図）である。
【図５】図１に示す振動子の振動素子の振動基板の斜視図である。
【図６】図１に示す振動子の振動素子の製造方法を説明するための図である。
【図７】図１に示す振動子の振動素子の製造方法を説明するための図である。
【図８】図１に示す振動子の振動素子の製造方法を説明するための図である。
【図９】本発明の振動子の第２実施形態を示す平面図である。
【図１０】図９に示す振動子の横断面図である。
【図１１】図９に示す振動子の駆動用振動腕を示す図であり、（ａ）は拡大平面図、（ｂ）は拡大横断面図である。
【図１２】図９に示す振動子の検出用振動腕を示す図であり、（ａ）は拡大平面図、（ｂ）は拡大横断面図である。
【図１３】図９に示す振動子の振動素子の主要部の斜視図である。
【図１４】図９に示す振動子の振動素子の検出モードを説明するための図である。
【図１５】本発明の振動子の第３実施形態における振動素子を示す平面図である。
【図１６】図１５に示す振動素子が有する電極を示す平面図である。
【図１７】図１５に示す振動素子が有する電極を示す平面図（透過図）である。
【図１８】図１５に示す振動素子の動作を説明するための図である。
【図１９】本発明の電子機器を適用したモバイル型（またはノート型）のパーソナルコンピューターの構成を示す斜視図である。
【図２０】本発明の電子機器を適用した携帯電話機（ＰＨＳも含む）の構成を示す斜視図である。
【図２１】本発明の電子機器を適用したディジタルスチルカメラの構成を示す斜視図である。
【図２２】本発明の移動体を適用した自動車の構成を示す斜視図である。
【発明を実施するための形態】
【００３１】
以下、本発明の振動素子、振動素子の製造方法、振動子、ジャイロセンサー、電子機器および移動体を添付図面に示す実施形態に基づいて詳細に説明する。
【００３２】
１．振動子
まず、本発明の振動子について説明する。
【００３３】
＜第１実施形態＞
図１は、本発明の振動子の第１実施形態を示す平面図である。図２は、図１中のＡ−Ａ線断面図である。図３は、図１中のＢ−Ｂ線断面図である。図４は、図１に示す振動子の振動素子の断面図（図１中のＣ−Ｃ線断面図）である。図５は、図１に示す振動子の振動素子の振動基板の斜視図である。図６〜図８は、それぞれ、図１に示す振動子の振動素子の製造方法を説明するための図である。なお、図６（ａ）は、図６（ｂ）中のＤ−Ｄ線断面図、図６（ｂ）は、平面図、図６（ｃ）は、図６（ｄ）中のＥ−Ｅ線断面図、図６（ｄ）は、平面図である。また、図７（ａ）は、図７（ｂ）中のＦ−Ｆ線断面図、図７（ｂ）は、平面図、図７（ｃ）および図７（ｄ）は、断面図である。また、図８（ａ）、図８（ｂ）、図８（ｃ）および図８（ｄ）は、断面図である。
【００３４】
図１〜図３に示す振動子１は、振動素子２（本発明の振動素子）と、振動素子２を収納するパッケージ９とを有している。以下、振動素子２およびパッケージ９について、順次詳細に説明する。
【００３５】
（振動素子）
図１〜図５に示すように、本実施形態の振動素子２は、振動基板（構造体）３と、振動基板３上に形成された第１、第２駆動用電極８４、８５とを有している。なお、図１および図２では、説明の便宜上、第１、第２駆動用電極８４、８５の図示を省略している。
【００３６】
振動基板３は、Ｚカット水晶板で構成されている。Ｚカット水晶板とは、Ｚ軸をほぼ厚さ方向とする水晶基板である。なお、振動基板３は、その厚さ方向とＺ軸とが一致していてもよいが、常温近傍における周波数温度変化を小さくする観点から、厚さ方向に対してＺ軸が若干傾いている。すなわち、傾ける角度をθ度（−５°≦θ≦１５°）とした場合、前記水晶の電気軸としてのＸ軸、機械軸としてのＹ軸、光学軸としてのＺ軸からなる直交座標系の前記Ｘ軸を回転軸として、前記Ｚ軸を前記Ｙ軸の−Ｙ方向へ＋Ｚ側が回転するようにθ度傾けた軸をＺ’軸、前記Ｙ軸を前記Ｚ軸の＋Ｚ方向へ＋Ｙ側が回転するようにθ度傾けた軸をＹ’軸としたとき、Ｚ’軸に沿った方向を厚さとし、Ｘ軸とＹ’軸を含む面を主面とする振動基板３となる。なお、各図では、これらＸ軸、Ｙ’軸およびＺ’軸を図示している。
【００３７】
振動基板３は、Ｙ’軸方向を長さ方向に持ち、Ｘ軸方向を幅方向に持ち、Ｚ’軸方向を厚さ方向に持っている。また、振動基板３は、そのほぼ全域（後述する溝５５、５６、６５、６６が形成されている領域を除く）にわたって、ほぼ同じ厚さを有している。振動基板３の厚さ（Ｚ’軸方向の長さ）Ｔとしては、特に限定されないが、５０μｍ以上、２００μｍ以下であることが好ましく、９０μｍ以上、１３０μｍ以下であることがより好ましい。これにより、十分な機械的強度が得られ、また、Ｑ値を高く、ＣＩ値を低くしつつ、ドライエッチングにより、微細形状を容易に作成することができる。すなわち、振動基板３の厚さＴが前記下限値未満であると、他の条件によっては、Ｑ値が低く、ＣＩ値が高くなり、また、機械的強度が不足し、振動基板３が破損するおそれがある。また、振動基板３の厚さＴが前記上限値を超えると、振動素子２の過度な大型化に繋がってしまうおそれがある。
【００３８】
このような振動基板３は、基部４と、基部４から延びる１対の振動腕５、６とを有している。
【００３９】
基部４は、ＸＹ’平面に広がりを有し、Ｚ’軸方向に厚さを有する板状をなしている。
振動腕５、６は、Ｘ軸方向（第２方向）に沿って並び、かつ、互いに平行となるように基部４の−Ｙ’軸側の端から−Ｙ’軸方向（第１方向）に延出（突出る）している。また、振動腕５、６は、基部４のＸ軸方向の一方の端部と他方の端部から延出している。これら振動腕５、６は、それぞれ、長手形状をなし、その基端（＋Ｙ’軸側の端）が固定端となり、先端（−Ｙ’軸側の端）が自由端となる。なお、このような振動腕５、６は、互いに同様の構成（形状、大きさ）をなしている。
【００４０】
図４に示すように、振動腕５は、ＸＹ’平面で構成された互いに表裏の関係にある１対の主面５１、５２と、Ｙ’Ｚ’平面で構成され、１対の主面５１、５２を接続する１対の側面５３、５４とを有している。また、振動腕５は、主面５１に開口する有底の溝５５と、主面５２に開口する有底の溝５６とを有している。溝５５、５６は、それぞれ、Ｙ’軸方向に延在している。このような振動腕５は、溝５５、５６が形成されている部分では、略Ｈ型の横断面形状をなしている。
【００４１】
溝５５、５６は、振動腕５の厚さ方向の長さを二等分する線分Ｌに対して対称的に形成されているのが好ましい。これにより、振動腕５の不要な振動（具体的には、面外方向成分を有する斜め振動）を低減でき、振動腕５を効率的に振動基板３の面内方向に振動させることができる。
【００４２】
振動腕５と同様に、振動腕６は、ＸＹ’平面で構成された互いに表裏の関係にある１対の主面６１、６２と、Ｙ’Ｚ’平面で構成され、１対の主面６１、６２を接続する１対の側面６３、６４とを有している。また、振動腕６は、主面６１に開口する有底の溝６５と、主面６２に開口する有底の溝６６とを有している。溝６５、６６は、それぞれ、Ｙ’軸方向に延在している。このような振動腕６は、溝６５、６６が形成されている部分では、略Ｈ型の横断面形状をなしている。
【００４３】
溝６５、６６は、振動腕６の厚さ方向の長さを二等分する線分Ｌに対して対称的に形成されているのが好ましい。これにより、振動腕６の不要な振動を低減でき、振動腕６を効率的に振動基板３の面内方向に振動させることができる。
【００４４】
振動素子２は、各振動腕５、６に溝５５、５６、６５、６６を形成することにより、熱弾性損失の低減を図ることができ、Ｑ値の劣化を低減した優れた振動特性を発揮することができる。
【００４５】
振動腕５には、１対の第１駆動用電極８４と１対の第２駆動用電極８５とが形成されている。具体的には、第１駆動用電極８４の一方は、溝５５の内面に形成されており、他方は、溝５６の内面に形成されている。また、第２駆動用電極８５の一方は、側面５３に形成されており、他方は、側面５４に形成されている。同様に、振動腕６にも、１対の第１駆動用電極８４と１対の第２駆動用電極８５とが形成されている。具体的には、第１駆動用電極８４の一方は、側面６３に形成されており、他方は、側面６４に形成されている。また、第２駆動用電極８５の一方は、溝６５の内面に形成されており、他方は、溝６６の内面に形成されている。これら第１、第２駆動用電極８４、８５間に交番電圧を印加すると、振動腕５、６が互いに接近、離間を繰り返すように面内（ＸＹ’平面内）で、所定の周波数で振動する。すなわち、振動腕５、６は、図１中の矢印ａ、ｂの方向に振動する。
【００４６】
第１、第２駆動用電極８４、８５の構成としては、特に限定されず、金（Ａｕ）、金合金、白金（Ｐｔ）、アルミニウム（Ａｌ）、アルミニウム合金、銀（Ａｇ）、銀合金、クロム（Ｃｒ）、クロム合金、銅（Ｃｕ）、モリブデン（Ｍｏ）、ニオブ（Ｎｂ）、タングステン（Ｗ）、鉄（Ｆｅ）、チタン（Ｔｉ）、コバルト（Ｃｏ）、亜鉛（Ｚｎ）、ジルコニウム（Ｚｒ）等の金属材料、酸化インジウムスズ（ＩＴＯ）等の導電材料により形成することができる。
【００４７】
図１および図５に示すように、以上説明した振動素子２の振動基板３は、振動基板３（振動素子２）（第１の主面３１）の平面視、すなわち、その厚さ方向から見たとき、凹部および凸部を有している。振動基板３の平面視で、例えば、各振動腕５、６は、前記凸部であり、また、振動腕５と振動腕６の間の部分の又部３４は、前記凹部である。また、振動基板３は、互いに表裏の関係にある第１の主面３１および第２の主面３２と、第１の主面３１と第２の主面３２との間に配置された側面３３とを有している。なお、第１の主面３１は、振動基板３の図１の紙面の手前側の面、第２の主面３２は、振動基板３の図１の紙面の裏側の面であり、側面３３は、その第１の主面３１と第２の主面３２との間に配置され、振動基板３の外周に沿って１周に亘って形成されている面である。
【００４８】
前記側面３３は、交互に配置された平面と曲面とで構成されている。すなわち、側面３３は、平面３６１、曲面３７１、平面３６２、曲面３７２、平面３６３、曲面３７３、平面３６４、曲面３７４、平面３６５、曲面３７５、平面３６６および曲面３７６で構成されており、これらは、図１および図５中の時計回りに前記の順序で配置されている。換言すれば、側面３３においては、隣り合う平面３６１と平面３６２とが曲面３７１で接続（連結）され、隣り合う平面３６２と平面３６３とが曲面３７２で接続され、隣り合う平面３６３と平面３６４とが曲面３７３で接続され、隣り合う平面３６４と平面３６５とが曲面３７４で接続され、隣り合う平面３６５と平面３６６とが曲面３７５で接続され、隣り合う平面３６６と平面３６１とが曲面３７６で接続されている。
【００４９】
また、これらの曲面３７１〜３７６には、凹状の曲面と、凸状の曲面とが含まれている。具体的には、曲面３７１、３７４、３７５および３７６は、凸状の曲面であり、そのうち、曲面３７１は、振動腕６の先端部（凸部）の側面に設けられ、曲面３７４は、振動腕５の先端部（凸部）の側面に設けられ、曲面３７５および３７６は、基部４の凸部の側面に設けられている。また、曲面３７２および３７３は、凹状の曲面であり、これらの曲面３７２および３７３は、振動腕５と振動腕６の間の部分の又部３４の側面に設けられている。なお、前記又部３４の側面は、前記曲面３７２および３７３の他、曲面３７２と曲面３７３との間に配置された平面３６３を有している。
【００５０】
このように、この振動素子２（振動子１）では、振動基板３の側面３３を交互に配置された平面と曲面とで構成することにより、側面３３において、鋭利な角部をなくすことができ、これにより、振動基板３の特定の部位への応力の集中を低減することができ、衝撃に対する耐久性を向上させることができる。
【００５１】
また、振動基板３の特定の部位への応力の集中を低減することができるので、振動腕５、６の振幅を大きくしてもその破壊を抑制することができ、これにより、前記振幅を大きくすることが可能である。
【００５２】
また、曲面を振動腕５、６に安定して形成することができるので、Q値を向上させることができる。
【００５３】
また、側面３３において、鋭利な角部をなくすことにより、製造の際、振動基板３の形状が安定し、精度良く振動基板３を製造することができ、これにより、周波数特性を向上させることができる。なお、振動基板３を精度良く製造することができるので、例えば、レーザー加工等による周波数の微調整を行う必要がなく、製造工程を削減することができる。
【００５４】
また、特定の部位に曲面を設けることで下記の効果が得られる。
まず、振動腕５、６の先端部（凸部）の側面に曲面３７１、３７４を設けることにより鋭利な角部をなくすことで、その振動腕５、６を精度良く製造することができ、これにより、所望の振動特性が得られる。
【００５５】
また、基部４の凸部の側面に曲面３７５、３７６を設けることにより鋭利な角部をなくすことで、その基部４を精度良く製造することができ、これにより、振動素子２をパッケージ９に実装するうえで、振動片のカケ防止、実装位置ズレに対する電極短絡歩留りの低減、振動漏れの抑制等の効果が得られ、非常に有利である。
【００５６】
また、又部３４（凹部）の側面に鋭利な角部があると、特に、そこに応力が集中するので、又部３４の側面に曲面３７２、３７３を設けることにより鋭利な角部をなくすことで、その応力の集中を低減することができ、衝撃に対する耐久性を格段に向上させることができ、また、Q値を向上させることができ、また、振動腕５、６の振幅を大きくすることが可能である。
【００５７】
また、振動基板３の平面視で、前記曲面３７１〜３７６の部分の曲線の曲率半径は、それぞれ、特に限定されず、諸条件に応じて適宜設定されるものである。また、振動基板３の平面視で、曲面３７１〜３７６の部分の曲線の曲率半径は、互いに異なっていてもよく、また、同一であってもよい。また、振動基板３の平面視で、曲面３７１〜３７６の部分の曲線は、それぞれ、曲率半径が一定であってもよく、また、曲率半径が変化している部分を有していてもよい。
【００５８】
以下、曲面３７１〜３７６の好適な寸法や条件について説明するが、前記の通り、それに限定されるものではない。
【００５９】
まず、曲面３７１〜３７６は、それぞれ、振動基板３の平面視で、その曲面の部分の曲線が、曲率半径が３μｍ以上、５０μｍ以下の部分を有することが好ましく、曲率半径が５μｍ以上、３５μｍ以下の部分を有することがより好ましい。
【００６０】
前記曲率半径が前記下限値よりも小さいと、他の条件にもよるが、衝撃に対する耐久性が悪化する虞がある。また、前記曲率半径を前記上限値より大きくしても、他の条件にもよるが、衝撃に対する耐久性を向上させる効果の向上は望めない。
【００６１】
また、凹状の曲面、すなわち、曲面３７２および３７３は、それぞれ、振動基板３の平面視で、その曲面の部分の曲線が、曲率半径が５μｍ以上、５０μｍ以下の部分を有することが好ましく、曲率半径が１０μｍ以上、３５μｍ以下の部分を有することがより好ましい。
【００６２】
前記曲率半径が前記下限値よりも小さいと、他の条件にもよるが、衝撃に対する耐久性が悪化する虞がある。また、前記曲率半径を前記上限値より大きくしても、他の条件にもよるが、衝撃に対する耐久性を向上させる効果の向上は望めない。
【００６３】
また、凸状の曲面、すなわち、曲面３７１、３７４、３７５および３７６は、それぞれ、振動基板３の平面視で、その曲面の部分の曲線が、曲率半径が３μｍ以上、３０μｍ以下の部分を有することが好ましく、曲率半径が５μｍ以上、１５μｍ以下の部分を有することがより好ましい。
【００６４】
前記曲率半径が前記下限値よりも小さいと、他の条件にもよるが、振動基板３を精度良く製造できない虞があり、また、衝撃に対する耐久性が悪化する虞がある。また、前記曲率半径が前記上限値よりも大きいと、例えば、振動腕５、６の先端部の体積が小さくなり、これにより振動腕５、６を短くできず、振動素子２の小型化に不利である。また、前記曲率半径を前記上限値より大きくしても、他の条件にもよるが、衝撃に対する耐久性を向上させる効果の向上は望めない。
【００６５】
また、振動基板３の平面視で、凹状の曲面である曲面３７２および３７３の部分の曲線の平均曲率半径は、それぞれ、凸状の曲面である曲面３７１、３７４、３７５および３７６の部分の曲線の平均曲率半径よりも大きいことが好ましい。これにより、例えば、曲面３７１、３７４の部分の曲線の平均曲率半径を曲面３７２および３７３の部分の曲線の平均曲率半径よりも大きくすることで、振動腕５、６の先端部の体積を大きくすることができる。これによって、振動腕５、６を短くすることができ、振動素子２の小型化を図ることができる。なお、前記平均曲率半径とは、複数の曲面についての曲線の曲率半径の平均値のことではなく、１つの曲面についての曲線の曲率半径の平均値である。
【００６６】
なお、本実施形態では、振動基板３はＺカット水晶基板について説明したが、本発明は水晶のその他のカット、即ちＡＴカット、Ｘカット、ＳＣカットなどいずれのカットにも適用が可能である。
【００６７】
（パッケージ）
図１および図３に示すように、パッケージ９は、上面に開放する凹部９１１を有する箱状のベース９１と、凹部９１１の開口を塞ぐようにベース９１に接合されている板状のリッド９２とを有している。このようなパッケージ９は、凹部９１１がリッド９２にて塞がれることにより形成された収納空間を有しており、この収納空間に振動素子２が気密的に収納されている。振動素子２は、基部４のＸ軸方向の両端部にて、例えば、エポキシ系、アクリル系の樹脂に導電性フィラーを混合した導電性接着剤１１、１３を介して凹部９１１の底面に固定されている。
【００６８】
なお、収納空間内は、減圧（好ましくは真空）状態となっていてもよいし、窒素、ヘリウム、アルゴン等の不活性ガスが封入されていてもよい。これにより、振動素子２の振動特性が向上する。
【００６９】
ベース９１の構成材料としては、特に限定されないが、酸化アルミニウム等の各種セラミックスを用いることができる。また、リッド９２の構成材料としては、特に限定されないが、ベース９１の構成材料と線膨張係数が近似する部材であると良い。例えば、ベース９１の構成材料を前述のようなセラミックスとした場合には、コバール等の合金とするのが好ましい。なお、ベース９１とリッド９２の接合は、特に限定されず、例えば、接着剤を介して接合してもよいし、シーム溶接等により接合してもよい。
【００７０】
また、ベース９１の凹部９１１の底面には、接続端子９５１、９６１が形成されている。図示しないが、振動素子２の第１駆動用電極８４は、基部４まで引き出されており、当該部分にて、導電性接着剤１１を介して接続端子９５１と電気的に接続されている。同様に、図示しないが、振動素子２の第２駆動用電極８５は、基部４まで引き出されており、当該部分にて、導電性接着剤１３を介して接続端子９６１と電気的に接続されている。
【００７１】
また、接続端子９５１は、ベース９１を貫通する貫通電極９５２を介してベース９１の底面に形成された外部端子９５３に電気的に接続されており、接続端子９６１は、ベース９１を貫通する貫通電極９６２を介してベース９１の底面に形成された外部端子９６３に電気的に接続されている。
【００７２】
接続端子９５１、９６１、貫通電極９５２、９６２および外部端子９５３、９６３の構成としては、それぞれ、導電性を有していれば、特に限定されないが、例えば、Ｃｒ（クロム）、Ｗ（タングステン）などのメタライズ層（下地層）に、Ｎｉ（ニッケル）、Ａｕ（金）、Ａｇ（銀）、Ｃｕ（銅）などの各被膜を積層した金属被膜で構成することができる。
【００７３】
（振動素子の製造方法）
次に、振動素子２（振動基板３）の製造方法について、図６〜図８に基づいて説明する。
【００７４】
振動素子２の製造方法は、水晶基板（基板）３０を用意する工程と、水晶基板３０にマスクを形成する工程と、水晶基板３０に対し、前記マスクを用いてドライエッチングを行い、第１の主面３１および第２の主面３２と、第１の主面３１と第２の主面３２との間に配置され、かつ、交互に配置された平面と曲面とで構成された側面３３とを有し、振動基板３（振動素子２）の平面視で凹部および凸部を含んでいる振動基板（構造体）３を形成する工程と、を含む。以下、詳細に説明する。
【００７５】
まず、Ｚカットの水晶基板３０を用意する（図６（ａ）参照）。水晶基板３０は、後述する加工を経て振動基板３となる部材である。次に、図６（ａ）、（ｂ）に示すように、フォトリソグラフィ法などを用いて、水晶基板３０の上面にマスクＭ１を形成する。マスクＭ１は、振動基板３の外形形状に対応して形成するマスクである。
【００７６】
次に、図６（ｃ）、（ｄ）に示すように、マスクＭ１を介して（用いて）水晶基板３０にドライエッチングを行う。このドライエッチングは、振動素子２の振動方向と直交（交差）する方向に対してエッチングを行う。これにより、溝５５、５６、６５、６６が形成されていない振動腕５、６と、基部４とを有する振動基板３が形成される。
【００７７】
次に、図７（ａ）、（ｂ）に示すように、マスクＭ１を除去する。
次に、図７（ｃ）に示すように、フォトリソグラフィ法などを用いて、水晶基板３０の上面にマスクＭ２を形成する。マスクＭ２は、振動腕５の溝５５および振動腕６の溝６５の外形形状に対応して形成するマスクである。なお、ここでは、溝５５、６５を形成しない部位にマスクＭ２を形成する。
【００７８】
次に、図７（ｄ）に示すように、マスクＭ２を介して水晶基板３０にドライエッチングを行う。これにより、振動腕５に溝５５が形成され、振動腕６に溝６５が形成され、溝５６、６６が形成されていない振動腕５、６と、基部４とを有する振動基板３が形成される。
【００７９】
次に、図８（ａ）に示すように、マスクＭ２を除去する。
次に、図８（ｂ）に示すように、水晶基板３０の上下を逆にし、フォトリソグラフィ法などを用いて、水晶基板３０の上面にマスクＭ３を形成する。マスクＭ３は、振動腕５の溝５６および振動腕６の溝６６の外形形状に対応して形成するマスクである。なお、ここでは、溝５６、６６を形成しない部位にマスクＭ３を形成する。
【００８０】
次に、図８（ｃ）に示すように、マスクＭ３を介して水晶基板３０にドライエッチングを行う。これにより、振動腕５に溝５６が形成され、振動腕６に溝６６が形成され、溝５５、５６、６５、６６が形成されている振動腕５、６と、基部４とを有する振動基板３が形成される。
【００８１】
次に、図８（ｄ）に示すように、マスクＭ３を除去する。れにより、振動基板３が得られる。
【００８２】
次に、例えば、蒸着等によって、振動基板３の表面に図示しない金属膜を形成する。次に、例えば、図示しないマスクを介して前記金属膜をパターニングすることにより、第１、第２駆動用電極８４、８５を形成する。以上により、振動素子２が得られる。
【００８３】
このような製造方法によれば、衝撃に対する耐久性に優れた振動素子２を容易に製造することができる。
【００８４】
すなわち、ウエットエッチングでなく、ドライエッチングを用いることにより、水晶基板３０の結晶異方性等に左右されることなく、振動基板３の側面に、平面および曲面を容易かつ精度良く形成することができる。また、振動基板３の側面に鋭利な角部を形成しないので、フォトリソグラフィ法を用いる場合、光の回り込みを抑制することができ、これにより、振動基板３を精度良く形成することができる。
【００８５】
以上説明したように、この振動子１（振動素子２）によれば、落下等の衝撃に対する耐久性を向上させることができる。
【００８６】
なお、本実施形態では、マスクＭ１、Ｍ２を片面ずつ形成する例を示したが、フォトリソグラフィ法により両面を同時に露光してマスクを形成してもよい。両面を同時に露光することでマスクＭ１とマスクＭ２との位置ずれ量を低減することができる。
【００８７】
また、振動腕の数は、本実施形態では、２つであるが、これに限らず、例えば、１つでもよく、また、３つ以上でもよい。
【００８８】
また、振動腕の先端部にハンマーヘッド（錘部）を設けてもよい。ハンマーヘッドを設けることにより、振動腕の長さを短くすることができ、振動素子２の小型化を図ることができる。
【００８９】
また、振動腕５と振動腕６は、平行でなくてもよく、また、溝５５、５６、６５、６６を省略してもよいことは、言うまでもない。
【００９０】
＜第２実施形態＞
図９は、本発明の振動子の第２実施形態を示す平面図である。図１０は、図９に示す振動子の横断面図である。図１１は、図９に示す振動子の駆動用振動腕を示す図であり、（ａ）は拡大平面図、（ｂ）は拡大横断面図である。図１２は、図９に示す振動子の検出用振動腕を示す図であり、（ａ）は拡大平面図、（ｂ）は拡大横断面図である。図１３は、図９に示す振動子の振動素子の主要部の斜視図である。図１４は、図９に示す振動子の振動素子の検出モードを説明するための図である。
【００９１】
なお、以下では、説明の便宜上、互いに直交する（交差する）３つの軸として、ｘ軸（第１軸）、ｙ軸（第１軸）およびｚ軸（第１軸）を想定し、図９〜図１３において、各軸を図示しており、ｘ軸に平行な方向を「ｘ軸方向」、ｙ軸に平行な方向を「ｙ軸方向」、ｚ軸に平行な方向を「ｚ軸方向」という。また、各方向の正負は、図中の矢印に示すとおりである。
【００９２】
以下、第２実施形態について、前述した第１実施形態との相違点を中心に説明し、同様の事項については、その説明を省略する。
【００９３】
図９および図１０に示す振動子１Ａは、角速度を検出するジャイロセンサーである。
このような振動子１Ａは、例えば、撮像機器の手ぶれ補正や、ＧＰＳ（Global Positioning System）衛星信号を用いた移動体ナビケーションシステムにおける車両などの姿勢検出、姿勢制御等に用いることができる。
【００９４】
この振動子１Ａは、振動素子２Ａと、振動素子２Ａを収納したパッケージ４Ａとを有する。
【００９５】
以下、振動子１Ａを構成する各部を順次説明する。
振動素子２Ａは、１つの軸まわりの角速度を検出するジャイロセンサー素子である。
【００９６】
図９に示すように、振動素子２Ａは、ｚ軸を法線としており、振動基板２０Ａと、駆動用電極群５１Ａ、５２Ａと、検出用電極群５３Ａ、５４Ａとを有している。
【００９７】
振動基板２０Ａは、基部２１Ａと、１対の駆動用振動腕（振動腕）２２１Ａ、２２２Ａと、１対の検出用振動腕（振動腕）２３１Ａ、２３２Ａと、支持部２５Ａと、４つの連結部２６１Ａ、２６２Ａ、２６３Ａ、２６４Ａとを有する、いわゆる「Ｈ型」の振動基板である。本実施形態では、基部２１Ａ、駆動用振動腕２２１Ａ、２２２Ａ、検出用振動腕２３１Ａ、２３２Ａ、支持部２５Ａおよび連結部２６１Ａ〜２６４Ａは、圧電体材料で一体的に形成されている。なお、検出用振動腕２３１Ａが第１の検出用振動腕、検出用振動腕２３２Ａが第２の検出用振動腕である。
【００９８】
圧電体材料としては、特に限定されないが、水晶を用いるのが好ましい。これにより、振動素子２Ａの特性を優れたものとすることができる。水晶は、互いに直交するＸ軸（電気軸）、Ｙ軸（機械軸）およびＺ軸（光学軸）の３本の結晶軸を有する。基部２１Ａ、駆動用振動腕２２１Ａ、２２２Ａ、検出用振動腕２３１Ａ、２３２Ａ、支持部２５Ａおよび連結部２６１Ａ〜２６４Ａは、例えば、Ｚ軸が厚さ方向に存在するとともにＸ軸およびＹ軸に平行な板面を有する水晶で構成された基板をエッチング加工することにより形成することができる。かかる基板の厚さは、振動素子２Ａの発振周波数（共振周波数）、外形サイズ、加工性等に応じて適宜設定される。なお、本実施形態では、基部２１Ａ、駆動用振動腕２２１Ａ、２２２Ａ、検出用振動腕２３１Ａ、２３２Ａ、支持部２５Ａおよび連結部２６１Ａ〜２６４Ａが水晶で一体的に構成されている場合を例に説明する。また、本実施形態では、結晶軸のＸ軸が絶対座標軸のｘ軸と一致しており、結晶軸のＹ軸が絶対座標軸のｙ軸と一致しており、結晶軸のＺ軸が絶対座標軸のｚ軸と一致している。
【００９９】
基部２１Ａは、平面視で基部２１Ａを囲むように形成された支持部２５Ａに、４つの連結部２６１Ａ〜２６４Ａを介して支持されている。４つの連結部２６１Ａ〜２６４Ａは、それぞれ、長尺形状をなし、一端が基部２１Ａに連結され、他端が支持部２５Ａに連結されている。なお、連結部２６１Ａ〜２６４Ａは、それぞれ、長手方向の途中で複数回屈曲している。
【０１００】
また、基部２１Ａは、ｚ軸方向からみたとき、ｙ軸方向に延びる１対の辺と、ｘ軸方向に延びる１対の辺とを有する矩形状をなしている。すなわち、基部２１Ａは、平面視したとき、後述するような駆動用振動腕２２１Ａ、２２２Ａの延出方向に対して平行な１対の辺と、駆動用振動腕２２１Ａ、２２２Ａの延出方向に対して垂直な１対の辺とを有する矩形状をなしている。これにより、後述するように検出用振動腕２３１Ａ、２３２Ａを駆動用振動腕２２１Ａ、２２２Ａの駆動振動に伴って第２の方向（図１３に示す矢印Ｅ１、Ｅ２の方向）により効率的に振動（面内振動）させることができる（図１３参照）。
【０１０１】
また、図９に示すように、本実施形態での基部２１Ａは、四角形状をなし、そのｘ軸方向の長さは、ｙ軸方向の長さよりも長いのが好ましい。すなわち、平面視における駆動用振動腕２２１Ａ、２２２Ａの延出方向に対して垂直な方向での基部２１Ａの長さをＬ１とし、平面視における駆動用振動腕２２１Ａ、２２２Ａの延出方向に対して平行な方向での基部２１Ａの長さをＬ２としたとき、Ｌ１＞Ｌ２なる関係を満たすのが好ましい。このようなＬ１およびＬ２の関係を満たすことにより、検出用振動腕２３１Ａ、２３２Ａを駆動用振動腕２２１Ａ、２２２Ａの駆動振動に伴って第２の方向Ｅ１、Ｅ２により効率的に振動させることができる。
【０１０２】
駆動用振動腕２２１Ａ、２２２Ａは、それぞれ、基部２１Ａからｙ軸方向（＋ｙ方向）に延出（延在）している。これにより、駆動用振動腕２２１Ａ、２２２Ａは、互いに平行となるように設けられている。また、駆動用振動腕２２１Ａ、２２２Ａは、互いにｘ軸方向に離間して配置されている。これにより、駆動用振動腕２２１Ａ、２２２Ａは、それぞれ、独立して振動することができる。図１１（ｂ）に示すように、駆動用振動腕２２１Ａ、２２２Ａの横断面は、それぞれ、ｘ軸に平行な１対の辺とｚ軸に平行な１対の辺とで構成された矩形をなしている。
【０１０３】
そして、駆動用振動腕２２１Ａには、駆動用電極群５１Ａが設けられ、同様に、駆動用振動腕２２２Ａには、駆動用電極群５２Ａが設けられている。以下、駆動用電極群５１Ａについて代表的に説明する。なお、駆動用電極群５２Ａについては、４つの駆動用電極で構成されており、後述する駆動用電極群５１Ａと同様であるため、その説明を省略する。なお、駆動用電極群５１Ａと駆動用電極群５２Ａとは、所定の電極同士が図示しない配線を介して電気的に接続されている。
【０１０４】
図１１（ａ）、（ｂ）に示すように、駆動用電極群５１Ａは、駆動用振動腕２２１Ａの上面に設けられた駆動用電極５１１Ａと、駆動用振動腕２２１Ａの下面に設けられた駆動用電極５１２Ａと、駆動用振動腕２２１Ａの左側面に設けられた駆動用電極５１３Ａと、駆動用振動腕２２１Ａの右側面に設けられた駆動用電極５１４Ａとで構成されている。
【０１０５】
駆動用電極５１１Ａおよび駆動用電極５１２Ａは、互いに同電位となるように、図示しない配線を介して互いに電気的に接続されている。また、駆動用電極５１３Ａおよび駆動用電極５１４Ａは、互いに同電位となるように、図示しない配線を介して互いに電気的に接続されている。このような駆動用電極５１１Ａ、５１２Ａは、図示しない配線を介して、図９に示す支持部２５Ａに設けられた端子５７ａに電気的に接続されている。また、駆動用電極５１３Ａ、５１４Ａは、図示しない配線を介して、図９に示す支持部２５Ａに設けられた端子５７ｂに電気的に接続されている。なお、駆動用電極群５２Ａの所定の駆動用電極は、前記駆動用電極５１３Ａ、５１４Ａに電気的に接続されており、また、駆動用電極群５２Ａの所定の駆動用電極は、前記駆動用電極５１１Ａ、５１２Ａに電気的に接続されている。
【０１０６】
検出用振動腕２３１Ａ、２３２Ａは、それぞれ、基部２１Ａからｙ軸方向（−ｙ方向）に延出（延在）している。これにより、検出用振動腕２３１Ａ、２３２Ａは、互いに平行となるように設けられている。また、検出用振動腕２３１Ａ、２３２Ａは、前述した駆動用振動腕２２１Ａ、２２２Ａとは反対方向に延出している。また、検出用振動腕２３１Ａ、２３２Ａは、互いにｘ軸方向に離間して配置されている。これにより、検出用振動腕２３１Ａ、２３２Ａは、それぞれ、独立して振動することができる。図１２（ｂ）に示すように、検出用振動腕２３１Ａ、２３２Ａの横断面は、それぞれ、ｘ軸に平行な１対の辺とｚ軸に平行な１対の辺とで構成された矩形をなしている。なお、検出用振動腕２３１Ａと駆動用振動腕２２１Ａとは、同軸上に配置され、ｘ軸方向およびｚ軸方向の位置が一致し、同様に、検出用振動腕２３２Ａと駆動用振動腕２２２Ａとは、同軸上に配置され、ｘ軸方向およびｚ軸方向の位置が一致している。
【０１０７】
このような検出用振動腕２３１Ａ、２３２Ａは、それぞれ、後述するように駆動用振動腕２２１Ａ、２２２Ａに加えられた物理量に応じて第１の方向（図１３に示す矢印Ｃ１およびＤ１、Ｃ２およびＤ２）に振動するとともに、駆動用振動腕２２１Ａ、２２２Ａの駆動振動に伴って第１の方向とは異なる第２の方向（図１３に示す矢印Ｅ１、Ｅ２）に振動するものである。
【０１０８】
そして、図９に示すように、検出用振動腕２３１Ａには、検出用電極群５３Ａが設けられ、同様に、検出用振動腕２３２Ａには、検出用電極群５４Ａが設けられている。このように駆動用振動腕２２１Ａ、２２２Ａとは別体として設けられた検出用振動腕２３１Ａ、２３２に検出用電極群５３Ａ、５４Ａを設けることにより、検出用電極群５３Ａ、５４Ａの検出用電極の電極面積（電極として機能する部分の面積）を大きくすることができる。そのため、振動素子２Ａの検出感度を向上させることができる。
【０１０９】
以下、検出用電極群５３Ａについて代表的に説明する。なお、検出用電極群５４Ａについては、４つの検出用電極で構成されており、後述する検出用電極群５３Ａと同様であるため、その説明を省略する。
【０１１０】
図１２（ａ）、（ｂ）に示すように、検出用電極群５３Ａは、検出用振動腕２３１Ａの上面に設けられた検出用電極（第１の検出用電極）５３１Ａ、５３２Ａと、検出用振動腕２３１Ａの下面に設けられた検出用電極（第１の検出用電極）５３３Ａ、５３４Ａとで構成されている。ここで、検出用電極５３１Ａ、５３３Ａは、それぞれ、検出用振動腕２３１Ａの幅方向での一方側（図１２中の左側）に設けられ、また、検出用電極５３２Ａ、５３４Ａは、それぞれ、検出用振動腕２３１Ａの幅方向での他方側（図１２中の右側）に設けられている。
【０１１１】
検出用電極５３１Ａおよび検出用電極５３４Ａは、互いに同電位となるように、図示しない配線を介して互いに電気的に接続されている。また、検出用電極５３２Ａおよび検出用電極５３３Ａは、互いに同電位となるように、図示しない配線を介して互いに電気的に接続されている。このような検出用電極５３１Ａ、５３４Ａは、図示しない配線を介して、図９に示す支持部２５Ａに設けられた端子５７ｃに電気的に接続されている。また、検出用電極５３２Ａ、５３３Ａは、図示しない配線を介して、図９に示す支持部２５Ａに設けられた端子５７ｅに電気的に接続されている。なお、検出用電極群５４Ａは、図示しない配線を介して、図９に示す支持部２５Ａに設けられた端子５７ｄ、５７ｆに電気的に接続されている。
【０１１２】
このように構成された振動素子２Ａでは、使用の際は、端子５７ａと端子５７ｂとの間に駆動信号（駆動電圧）が印加されること、すなわち、駆動用電極群５１Ａ、５２Ａに通電にすることにより、図１３に示すように、駆動用振動腕２２１Ａと駆動用振動腕２２２Ａとが互いに接近・離間するように屈曲振動（駆動振動）（ｘ軸方向に往復駆動）する。すなわち、駆動用振動腕２２１Ａが図１３中の矢印Ａ１の方向に屈曲するとともに駆動用振動腕２２２Ａが図１３中の矢印Ａ２の方向に屈曲する状態と、駆動用振動腕２２１Ａが図１３中の矢印Ｂ１の方向に屈曲するとともに駆動用振動腕２２２Ａが図１３中の矢印Ｂ２の方向に屈曲する状態とを交互に繰り返す。この状態のときが駆動モードである。
【０１１３】
このように駆動用振動腕２２１Ａ、２２２Ａを駆動振動させた状態で、振動素子２Ａにｙ軸まわりの角速度ωが加わると、駆動用振動腕２２１Ａ、２２２Ａは、コリオリ力により、ｚ軸方向に互いに反対側に屈曲振動する（ｚ軸方向に往復駆動）。これに伴い、検出用振動腕２３１Ａ、２３２Ａは、ｚ軸方向（第１の方向）に互いに反対側に屈曲振動（検出振動）（ｚ軸方向に往復駆動）する。すなわち、駆動用振動腕２２１Ａが図１３中の矢印Ｃ１の方向に屈曲するとともに駆動用振動腕２２２Ａが図１３中の矢印Ｃ２の方向に屈曲する状態と、検出用振動腕２３１Ａが図１３中の矢印Ｄ１または、Ｄ２の方向に屈曲するとともに検出用振動腕２３２Ａが図１３中の矢印Ｄ２または、Ｄ１の方向に屈曲する状態とを交互に繰り返す。この状態のときが検出モードである。
【０１１４】
このような検出用振動腕２３１Ａ、２３２Ａの検出振動により検出用電極群５３Ａ、５４Ａに生じた電荷を検出することにより、振動素子２Ａに加わった角速度ωを求めることができる。
【０１１５】
ここで、前記検出モードとしては、図１４（ａ）に示す第１の検出モードと、図１４（ｂ）に示す第２の検出モードとがある。第１の検出モードと、第２の検出モードとでは、互いに、検出用振動腕２３１Ａ、２３２Ａの検出振動の共振周波数が異なっている。
【０１１６】
図１４（ａ）に示す第１の検出モードでは、同軸上に配置された駆動用振動腕２２１Ａと検出用振動腕２３１Ａとは、ｚ軸方向に、互いに反対側に振動し、同様に、同軸上に配置された駆動用振動腕２２２Ａと検出用振動腕２３２Ａとは、ｚ軸方向に、互いに反対側に振動する。
【０１１７】
また、図１４（ｂ）に示す第２の検出モードでは、同軸上に配置された駆動用振動腕２２１Ａと検出用振動腕２３１Ａとは、ｚ軸方向に、互いに同じ側に振動し、同様に、同軸上に配置された駆動用振動腕２２２Ａと検出用振動腕２３２Ａとは、ｚ軸方向に、互いに同じ側に振動する。
【０１１８】
なお、図１４（ａ）、図１４（ｂ）中の各記号「・」、「×」は、それぞれ、それに対応している駆動用振動腕２２１Ａ、２２２Ａ、検出用振動腕２３１Ａ、２３２Ａの振動における変位の方向を示しており、記号「・」は、変位の方向が図１４の紙面の裏側から表側であることを示し、記号「×」は、変位の方向が図１４の紙面の表側から裏側であることを示す。
【０１１９】
以上説明した振動素子２Ａでは、振動基板（構造体）２０Ａの第１の主面２７Ａと第２の主面２８Ａとの間に配置された側面２３Ａは、第１実施形態と同様に、交互に配置された平面と曲面とで構成されている。これにより、落下等の衝撃に対する耐久性を向上させることができる等、前記第１実施形態と同様の効果が得られる。
【０１２０】
図１０に示すように、パッケージ４Ａは、上方に開放する凹部を有するベース部材（ベース）４１Ａと、このベース部材４１Ａの凹部を覆うように設けられた蓋部材（リッド）４２Ａとを備える。そして、ベース部材４１Ａと蓋部材４２Ａとにより、振動素子２Ａが収納される内部空間が形成されている。
【０１２１】
ベース部材４１Ａは、平板状の板体（板部）４１１Ａと、板体４１１Ａの上面の外周部に接合された枠体（枠部）４１２Ａとで構成されている。
【０１２２】
このようなベース部材４１Ａは、例えば、酸化アルニウム質焼結体、水晶、ガラス等で構成されている。
【０１２３】
図１０に示すように、ベース部材４１Ａの板体４１１Ａの上面（蓋部材４２Ａに覆われる側の面）には、例えばシリコン樹脂、エポキシ樹脂、アクリル樹脂等を含んで構成された接着剤のような接合部材８１Ａにより、前述した振動素子２Ａの支持部２５Ａが接合されている。これにより、振動素子２Ａがベース部材４１Ａに対して支持・固定されている。
【０１２４】
さらに、図９および図１０に示すように、ベース部材４１Ａの上面には、複数の内部端子７１Ａが設けられている。
【０１２５】
複数の内部端子７１Ａには、例えばボンディングワイヤーで構成された配線を介して、前述した振動素子２Ａの端子５７ａ〜５７ｆが電気的に接続されている。
【０１２６】
一方、ベース部材４１Ａの板体４１１Ａの下面（パッケージ４Ａの底面）には、振動子１Ａが組み込まれる機器（外部機器）に実装される際に用いられる複数の外部端子７３Ａが設けられている。
【０１２７】
この複数の外部端子７３Ａは、図示しない内部配線を介して、板体４１１Ａに電気的に接続されている。これにより、板体４１１Ａと複数の外部端子７３Ａとが電気的に接続される。
【０１２８】
このような各内部端子７１Ａおよび各外部端子７３Ａは、それぞれ、例えば、タングステン（Ｗ）等のメタライズ層にニッケル（Ｎｉ）、金（Ａｕ）等の被膜をメッキ等により積層した金属被膜からなる。
【０１２９】
このようなベース部材４１Ａには、蓋部材４２Ａが気密的に接合されている。これにより、パッケージ４Ａ内が気密封止されている。
【０１３０】
この蓋部材４２Ａは、例えば、ベース部材４１Ａと同材料、または、コバール、４２アロイ、ステンレス鋼等の金属で構成されている。
【０１３１】
ベース部材４１Ａと蓋部材４２Ａとの接合方法としては、特に限定されず、例えば、ろう材、硬化性樹脂等で構成された接着剤による接合方法、シーム溶接、レーザー溶接等の溶接方法等を用いることができる。また、かかる接合は、減圧下または不活性ガス雰囲気下で行うことにより、パッケージ４Ａ内を減圧状態または不活性ガス封入状態に保持することができる。
【０１３２】
この振動子１Ａによれば、前記第１実施形態と同様の効果が得られる。
そして、この振動子１Ａでは、Q値の向上により、低い電圧で駆動用振動腕２２１Ａ、２２２Ａを大きく振動させることができるとともに、駆動用振動腕２２１Ａ、２２２Ａ、検出用振動腕２３１Ａ、２３２Ａの振幅を大きくしてもその破壊を抑制することができるので、駆動用振動腕２２１Ａ、２２２Ａ、検出用振動腕２３１Ａ、２３２Ａの振幅を大きくすることができ、これにより、感度を向上させることができる。
【０１３３】
＜第３実施形態＞
図１５は、本発明の振動子の第３実施形態における振動素子を示す平面図である。図１６は、図１５に示す振動素子が有する電極を示す平面図である。図１７は、図１５に示す振動素子が有する電極を示す平面図（透過図）である。図１８は、図１５に示す振動素子の動作を説明するための図である。
【０１３４】
なお、以下では、説明の便宜上、図１５および図１６の紙面手前側を「上側」とも言い、紙面奥側を「下側」とも言う。また、図１５、図１６および図１７では、それぞれ、説明の便宜上、電極の図示を省略している。
【０１３５】
以下、第３実施形態について、前述した第１、第２実施形態との相違点を中心に説明し、同様の事項については、その説明を省略する。
【０１３６】
≪振動素子の基本的構造≫
振動子は、図１５に示す振動素子１Ｂと、振動素子１Ｂを収納したパッケージ（図示せず）とを有する。
【０１３７】
図１５に示すように、振動素子１Ｂは、角速度検出素子（ジャイロ素子）として用いられるものである。このような振動素子１Ｂは、振動基板（構造体）２Ｂと、振動基板２Ｂの表面に形成された電極とを有している。
【０１３８】
−振動基板−
振動基板２Ｂの構成材料としては、例えば、水晶、タンタル酸リチウム、ニオブ酸リチウムなどの圧電材料が挙げられる。これらの中でも、振動基板２Ｂの構成材料としては、水晶を用いることが好ましい。水晶を用いることで、他の材料と比較して優れた周波数温度特性を有する振動素子１Ｂが得られる。なお、以下では、振動基板２Ｂを水晶で構成した場合について説明する。
【０１３９】
図１５に示すように、振動基板２Ｂは、水晶基板の結晶軸であるＹ軸（機械軸。第２軸）およびＸ軸（電気軸。第１軸）で規定されるＸＹ平面に広がりを有し、Ｚ軸（光軸）方向に厚みを有する板状をなしている。すなわち、振動基板２Ｂは、Ｚカット水晶板で構成されている。なお、Ｚ軸は、振動基板２Ｂの厚さ方向と一致しているのが好ましいが、常温近傍における周波数温度変化を小さくする観点から、厚さ方向に対して若干（例えば、１５°未満程度）傾けてもよい。
【０１４０】
このような振動基板２Ｂは、振動部２０Ｂと、振動部２０Ｂを介してＹ軸方向に対向配置された第１、第２支持部２５１Ｂ、２５２Ｂと、第１支持部２５１Ｂと振動部２０Ｂとを連結する第１、第３梁（吊り腕）２６１Ｂ、２６３Ｂと、第２支持部２５２Ｂと振動部２０Ｂとを連結する第２、第４梁（吊り腕）２６２Ｂ、２６４Ｂとを有している。
【０１４１】
また、振動部２０Ｂは、中心部に位置する基部２１Ｂと、基部２１ＢからＹ軸方向両側に延出する第１検出腕（振動腕）２２１Ｂ、第２検出腕（振動腕）２２２Ｂと、基部２１ＢからＸ軸方向両側に延在する第１、第２連結腕（支持腕）２３１Ｂ、２３２Ｂと、第１連結腕２３１Ｂの先端部からＹ軸方向両側に延出する第１駆動腕（振動腕）２４１Ｂ、第２駆動腕（駆動腕）２４２Ｂと、第２連結腕２３２Ｂの先端部からＹ軸方向両側に延出する第３駆動腕（振動腕）２４３Ｂ、第４駆動腕（振動腕）２４４Ｂとを有し、基部２１Ｂが梁２６１Ｂ、２６２Ｂ、２６３Ｂ、２６４Ｂによって第１、第２支持部２５１Ｂ、２５２Ｂに支持されている。なお、基部２１Ｂと、第１、第２連結腕（支持腕）２３１Ｂ、２３２Ｂとにより、基部が構成される。
【０１４２】
第１検出腕２２１Ｂは、基部２１Ｂから＋Ｙ軸方向に延出し、その先端部には幅広のハンマーヘッド２２１１Ｂが設けられている。一方、第２検出腕２２２Ｂは、基部２１Ｂから−Ｙ軸方向に延出し、その先端部には幅広のハンマーヘッド２２２１Ｂが設けられている。これら第１、第２検出腕２２１Ｂ、２２２Ｂは、振動素子１Ｂの重心Ｇを通るＸＺ平面に関して面対称に配置されている。
【０１４３】
第１、第２検出腕２２１Ｂ、２２２Ｂにハンマーヘッド２２１１Ｂ、２２２１Ｂを設けることで角速度の検出感度が向上するとともに、第１、第２検出腕２２１Ｂ、２２２Ｂの長さを短くすることができる。なお、ハンマーヘッド２２１１Ｂ、２２２１Ｂは、必要に応じて設ければよく、省略してもよい。また、必要に応じて、第１、第２検出腕２２１Ｂ、２２２Ｂの上面および下面に長さ方向に延在する有底の溝を形成してもよい。
【０１４４】
第１連結腕２３１Ｂは、基部２１Ｂから＋Ｘ軸方向に延出している。一方、第２連結腕２３２Ｂは、基部２１Ｂから−Ｘ軸方向に延出している。これら第１、第２連結腕２３１Ｂ、２３２Ｂは、重心Ｇを通るＹＺ平面に関して面対称に配置されている。なお、第１、第２連結腕２３１Ｂ、２３２Ｂの上面および下面に、その長さ方向（Ｘ軸方向）に延在する有底の溝を設けてもよい。
【０１４５】
第１駆動腕２４１Ｂは、第１連結腕２３１Ｂの先端部から＋Ｙ軸方向に延出し、その先端部には幅広のハンマーヘッド２４１１Ｂが設けられている。また、第２駆動腕２４２Ｂは、第１連結腕２３１Ｂの先端部から−Ｙ軸方向に延出し、その先端部には幅広のハンマーヘッド２４２１Ｂが設けられている。また、第３駆動腕２４３Ｂは、第２連結腕２３２Ｂの先端部から＋Ｙ軸方向に延出し、その先端部には幅広のハンマーヘッド２４３１Ｂが設けられている。また、第４駆動腕２４４Ｂは、第２連結腕２３２Ｂの先端部から−Ｙ軸方向に延出し、その先端部には幅広のハンマーヘッド２４４１Ｂが設けられている。これら４本の駆動腕２４１Ｂ、２４２Ｂ、２４３Ｂ、２４４Ｂは、重心Ｇに関して点対称に配置されている。
【０１４６】
駆動腕２４１Ｂ、２４２Ｂ、２４３Ｂ、２４４Ｂにハンマーヘッド２４１１Ｂ、２４２１Ｂ、２４３１Ｂ、２４４１Ｂを設けることで角速度の検出感度が向上するとともに、駆動腕２４１Ｂ、２４２Ｂ、２４３Ｂ、２４４Ｂの長さを短くすることができる。なお、ハンマーヘッド２４１１Ｂ、２４２１Ｂ、２４３１Ｂ、２４４１Ｂは、必要に応じて設ければよく、省略してもよい。また、必要に応じて、駆動腕２４１Ｂ、２４２Ｂ、２４３Ｂ、２４４Ｂの上面および下面に長さ方向に延在する有底の溝を形成してもよい。
【０１４７】
第１支持部２５１Ｂは、基部２１Ｂに対して＋Ｙ軸方向側に位置し、Ｘ軸方向に延在して配置されている。一方、第２支持部２５２Ｂは、基部２１Ｂに対して−Ｙ軸方向側に位置し、Ｘ軸方向に延在して配置されている。これら第１、第２支持部２５１Ｂ、２５２Ｂは、重心Ｇを通るＸＺ平面に関して面対称に配置されている。
【０１４８】
第１梁２６１Ｂは、第１検出腕２２１Ｂと第１駆動腕２４１Ｂとの間を通って基部２１Ｂと第１支持部２５１Ｂとを連結している。また、第２梁２６２Ｂは、第２検出腕２２２Ｂと第２駆動腕２４２Ｂとの間を通って基部２１Ｂと第２支持部２５２Ｂとを連結している。また、第３梁２６３Ｂは、第１検出腕２２１Ｂと第３駆動腕２４３Ｂとの間を通って基部２１Ｂと第１支持部２５１Ｂとを連結している。また、第４梁２６４Ｂは、第２検出腕２２２Ｂと第４駆動腕２４４Ｂとの間を通って基部２１Ｂと第２支持部２５２Ｂとを連結している。これら梁２６１Ｂ、２６２Ｂ、２６３Ｂ、２６４Ｂは、重心Ｇに関して点対称に配置されている。
【０１４９】
図１５に示すように、第１梁２６１Ｂは、第１支持部２５１Ｂに連結された蛇行部２６１ａと、蛇行部２６１ａと基部２１Ｂとを連結する傾斜部２６１ｂとを有している。第２梁２６２Ｂは、第２支持部２５２Ｂに連結された蛇行部２６２ａと、蛇行部２６２ａと基部２１Ｂとを連結する傾斜部２６２ｂとを有している。第３梁２６３Ｂは、第１支持部２５１Ｂに連結された蛇行部２６３ａと、蛇行部２６３ａと基部２１Ｂとを連結する傾斜部２６３ｂとを有している。第４梁２６４Ｂは、第２支持部２５２Ｂに連結された蛇行部２６４ａと、蛇行部２６４ａと基部２１Ｂとを連結する傾斜部２６４ｂとを有している。
【０１５０】
以上説明した振動基板（構造体）２Ｂの第１の主面２８Ｂと第２の主面２９Ｂとの間に配置された側面２７Ｂは、第１、第２実施形態と同様に、交互に配置された平面と曲面とで構成されている。これにより、落下等の衝撃に対する耐久性を向上させることができる等、前記第１、第２実施形態と同様の効果が得られる。
【０１５１】
−電極−
振動基板２Ｂの表面には、電極が形成されている。
【０１５２】
図１６および図１７に示すように、電極は、検出信号電極３１１Ｂと、検出信号端子３１２Ｂと、検出接地電極３２１Ｂと、検出接地端子３２２Ｂと、駆動信号電極３３１Ｂと、駆動信号端子３３２Ｂと、駆動接地電極３４１Ｂと、駆動接地端子３４２Ｂとを有している。なお、図１６および図１７では、説明の便宜上、検出信号電極３１１Ｂおよび検出信号端子３１２Ｂ、検出接地電極３２１Ｂおよび検出接地端子３２２Ｂ、駆動信号電極３３１Ｂおよび駆動信号端子３３２Ｂ、駆動接地電極３４１Ｂおよび駆動接地端子３４２Ｂを、それぞれ、異なるハッチングで図示している。また、振動基板２Ｂの側面に形成されている電極、配線、端子を太線で図示している。
【０１５３】
検出信号電極３１１Ｂは、第１、第２検出腕２２１Ｂ、２２２Ｂの上面および下面（ハンマーヘッド２２１１Ｂ、２２２１Ｂを除く部分）に形成されている。このような検出信号電極３１１Ｂは、第１、第２検出腕２２１Ｂ、２２２Ｂの検出振動が励起されたときに、該振動によって発生する電荷を検出するための電極である。
【０１５４】
検出信号端子３１２Ｂは、第１、第２支持部２５１Ｂ、２５２Ｂの右側端部に形成されている。第１支持部２５１Ｂに形成された検出信号端子３１２Ｂは、第１梁２６１Ｂに形成された検出信号配線を介して、第１検出腕２２１Ｂに形成された検出信号電極３１１Ｂと電気的に接続されている。一方、第２支持部２５２Ｂに形成された検出信号端子３１２Ｂは、第２梁２６２Ｂに形成された検出信号配線を介して、第２検出腕２２２Ｂに形成された検出信号電極３１１Ｂと電気的に接続されている。
【０１５５】
また、検出接地電極３２１Ｂは、第１、第２検出腕２２１Ｂ、２２２Ｂの両側面に形成されている。第１検出腕２２１Ｂの両側面に形成れている検出接地電極３２１Ｂは、ハンマーヘッド２２１１Ｂを経由して電気的に接続されており、第２検出腕２２２Ｂの両側面に形成れている検出接地電極３２１Ｂは、ハンマーヘッド２２２１Ｂを経由して電気的に接続されている。このような検出接地電極３２１Ｂは、検出信号電極３１１Ｂに対してグランドとなる電位を有する。
【０１５６】
検出接地端子３２２Ｂは、第１、第２支持部２５１Ｂ、２５２Ｂの中央部に形成されている。第１支持部２５１Ｂに形成されている検出接地端子３２２Ｂは、第１梁２６１Ｂに形成された検出接地配線を介して、第１検出腕２２１Ｂに形成された検出接地電極３２１Ｂと電気的に接続されている。一方、第２支持部２５２Ｂに形成されている検出接地端子３２２Ｂは、第２梁２６２Ｂに形成された検出接地配線を介して、第２検出腕２２２Ｂに形成された検出接地電極３２１Ｂと電気的に接続されている。
【０１５７】
このように検出信号電極３１１Ｂと、検出信号端子３１２Ｂと、検出接地電極３２１Ｂと、検出接地端子３２２Ｂとを配置することで、第１検出腕２２１Ｂに生じた検出振動は、第１検出腕２２１Ｂに形成された検出信号電極３１１Ｂと検出接地電極３２１Ｂとの間の電荷として現れ、第１支持部２５１Ｂに形成された検出信号端子３１２Ｂと検出接地端子３２２Ｂとから信号として取り出すことができる。また、第２検出腕２２２Ｂに生じた検出振動は、第２検出腕２２２Ｂに形成された検出信号電極３１１Ｂと検出接地電極３２１Ｂとの間の電荷として現れ、第２支持部２５２Ｂに形成された検出信号端子３１２Ｂと検出接地端子３２２Ｂとから信号として取り出すことができる。
【０１５８】
駆動信号電極３３１Ｂは、第１、第２駆動腕２４１Ｂ、２４２Ｂの上面および下面（ハンマーヘッド２４１１Ｂ、２４２１Ｂを除く部分）に形成されている。さらに、駆動信号電極３３１Ｂは、第３、第４駆動腕２４３Ｂ、２４４Ｂの両側面に形成されている。第３駆動腕２４３Ｂの両側面に形成れている駆動信号電極３３１Ｂは、ハンマーヘッド２４３１Ｂを経由して電気的に接続されており、第４駆動腕２４４Ｂの両側面に形成れている駆動信号電極３３１Ｂは、ハンマーヘッド２４４１Ｂを経由して電気的に接続されている。このような駆動信号電極３３１Ｂは、第１、第２、第３、第４駆動腕２４１Ｂ、２４２Ｂ、２４３Ｂ、２４４Ｂの駆動振動を励起させるための電極である。
【０１５９】
また、駆動信号端子３３２Ｂは、第２支持部２５２Ｂの左端部に形成されている。駆動信号端子３３２Ｂは、第４梁２６４Ｂに形成された駆動信号配線を介して、第１、第２、第３、第４駆動腕２４１Ｂ、２４２Ｂ、２４３Ｂ、２４４Ｂに形成された駆動信号電極３３１Ｂと電気的に接続されている。
【０１６０】
駆動接地電極３４１Ｂは、第３、第４駆動腕２４３Ｂ、２４４Ｂの上面および下面（ハンマーヘッド２４３１Ｂ、２４４１Ｂを除く部分）に形成されている。さらに、駆動接地電極３４１Ｂは、第１、第２駆動腕２４１Ｂ、２４２Ｂの両側面に形成されている。第１駆動腕２４１Ｂの両側面に形成れている駆動接地電極３４１Ｂは、ハンマーヘッド２４１１Ｂを経由して電気的に接続されており、第２駆動腕２４２Ｂの両側面に形成れている駆動接地電極３４１Ｂは、ハンマーヘッド２４２１Ｂを経由して電気的に接続されている。このような駆動接地電極３４１Ｂは、駆動信号電極３３１Ｂに対してグランドとなる電位を有する。
【０１６１】
また、駆動接地端子３４２Ｂは、第１支持部２５１Ｂの左端部に形成されている。駆動接地端子３４２Ｂは、第３梁２６３Ｂに形成された駆動接地配線を介して、第１、第２、第３、第４駆動腕２４１Ｂ、２４２Ｂ、２４３Ｂ、２４４Ｂに形成された駆動接地電極３４１Ｂと電気的に接続されている。
【０１６２】
このように駆動信号電極３３１Ｂ、駆動信号端子３３２Ｂ、駆動接地電極３４１Ｂ、駆動接地端子３４２Ｂを配置することで、駆動信号端子３３２Ｂと駆動接地端子３４２Ｂとの間に駆動信号を印加することで、第１、第２、第３、第４駆動腕２４１Ｂ、２４２Ｂ、２４３Ｂ、２４４Ｂに形成された駆動信号電極３３１Ｂと駆動接地電極３４１Ｂとの間に電界を生じさせ、各駆動腕２４１Ｂ、２４２Ｂ、２４３Ｂ、２４４Ｂを駆動振動させることができる。
【０１６３】
以上のような電極の構成としては、導電性を有していれば特に限定されないが、例えば、Ｃｒ（クロム）、Ｗ（タングステン）などのメタライズ層（下地層）に、Ｎｉ（ニッケル）、Ａｕ（金）、Ａｇ（銀）、Ｃｕ（銅）などの各被膜を積層した金属被膜で構成することができる。
【０１６４】
≪振動素子の駆動≫
次に、振動素子１Ｂの駆動について説明する。
【０１６５】
振動素子１Ｂに角速度が加わらない状態において、駆動信号端子３３２Ｂと駆動接地端子３４２Ｂとの間に電圧（交番電圧）を印加することで駆動信号電極３３１Ｂと駆動接地電極３４１Ｂとの間に電界が生じると、図１８（ａ）に示すように、各駆動腕２４１Ｂ、２４２Ｂ、２４３Ｂ、２４４Ｂが矢印Ａに示す方向に屈曲振動を行う。このとき、第１、第２駆動腕２４１Ｂ、２４２Ｂと第３、第４駆動腕２４３Ｂ、２４４Ｂとが振動素子１Ｂの重心Ｇを通るＹＺ平面に関して面対称の振動を行っているため、基部２１Ｂ、第１、第２検出腕２２１Ｂ、２２２Ｂおよび第１、第２連結腕２３１Ｂ、２３２Ｂは、ほとんど振動しない。
【０１６６】
この駆動振動を行っている状態で、振動素子１ＢにＺ軸周りの角速度ωが加わると、図１８（ｂ）に示すような検出振動が励振される。具体的には、駆動腕２４１Ｂ、２４２Ｂ、２４３Ｂ、２４４Ｂおよび第１、第２連結腕２３１Ｂ、２３２Ｂに矢印Ｂ方向のコリオリの力が働き、新たな振動が励起される。この矢印Ｂ方向の振動は、重心Ｇに対して周方向の振動である。また同時に、第１、第２検出腕２２１Ｂ、２２２Ｂには、矢印Ｂの振動に呼応して、矢印Ｃ方向の検出振動が励起される。そして、この振動により第１、第２検出腕２２１Ｂ、２２２Ｂに発生した電荷を、検出信号電極３１１Ｂと検出接地電極３２１Ｂとから信号として取り出し、この信号に基づいて角速度が求められる。
この振動子１Ｂによれば、前記第１、第２実施形態と同様の効果が得られる。
【０１６７】
２．電子機器
次に、本発明の振動素子を適用した電子機器（本発明の電子機器）について説明する。
【０１６８】
図１９は、本発明の電子機器を適用したモバイル型（またはノート型）のパーソナルコンピューターの構成を示す斜視図である。この図において、パーソナルコンピューター１１００は、キーボード１１０２を備えた本体部１１０４と、表示部１００を備えた表示ユニット１１０６とにより構成され、表示ユニット１１０６は、本体部１１０４に対しヒンジ構造部を介して回動可能に支持されている。このようなパーソナルコンピューター１１００には、フィルター、共振器、基準クロック等として機能する振動素子２が内蔵されている。なお、第２、第３実施形態の振動素子を内蔵してもよい。
【０１６９】
図２０は、本発明の電子機器を適用した携帯電話機（ＰＨＳも含む）の構成を示す斜視図である。この図において、携帯電話機１２００は、複数の操作ボタン１２０２、受話口１２０４および送話口１２０６を備え、操作ボタン１２０２と受話口１２０４との間には、表示部１００が配置されている。このような携帯電話機１２００には、フィルター、共振器等として機能する振動素子２が内蔵されている。なお、第２、第３実施形態の振動素子を内蔵してもよい。
【０１７０】
図２１は、本発明の電子機器を適用したディジタルスチルカメラの構成を示す斜視図である。なお、この図には、外部機器との接続についても簡易的に示されている。ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
【０１７１】
ディジタルスチルカメラ１３００におけるケース（ボディー）１３０２の背面には、表示部１００が設けられ、ＣＣＤによる撮像信号に基づいて表示を行う構成になっており、表示部１００は、被写体を電子画像として表示するファインダとして機能する。また、ケース１３０２の正面側（図中裏面側）には、光学レンズ（撮像光学系）やＣＣＤなどを含む受光ユニット１３０４が設けられている。
【０１７２】
撮影者が表示部１００に表示された被写体像を確認し、シャッターボタン１３０６を押下すると、その時点におけるＣＣＤの撮像信号が、メモリー１３０８に転送・格納される。また、このディジタルスチルカメラ１３００においては、ケース１３０２の側面に、ビデオ信号出力端子１３１２と、データ通信用の入出力端子１３１４とが設けられている。そして、図示されるように、ビデオ信号出力端子１３１２にはテレビモニター１４３０が、データ通信用の入出力端子１３１４にはパーソナルコンピューター１４４０が、それぞれ必要に応じて接続される。さらに、所定の操作により、メモリー１３０８に格納された撮像信号が、テレビモニター１４３０や、パーソナルコンピューター１４４０に出力される構成になっている。このようなディジタルスチルカメラ１３００には、フィルター、共振器等として機能する振動素子２が内蔵されている。なお、第２、第３実施形態の振動素子を内蔵してもよい。
【０１７３】
なお、本発明の振動素子を備える電子機器は、図１９のパーソナルコンピューター（モバイル型パーソナルコンピューター）、図２０の携帯電話機、図２１のディジタルスチルカメラの他にも、例えば、インクジェット式吐出装置（例えばインクジェットプリンター）、ラップトップ型パーソナルコンピューター、テレビ、ビデオカメラ、ビデオテープレコーダー、カーナビゲーション装置、ページャー、電子手帳（通信機能付も含む）、電子辞書、電卓、電子ゲーム機器、ワードプロセッサー、ワークステーション、テレビ電話、防犯用テレビモニター、電子双眼鏡、ＰＯＳ端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライトシュミレーター等に適用することができる。
【０１７４】
３．移動体
次に、本発明の振動素子を適用した移動体（本発明の移動体）について説明する。
【０１７５】
図２２は、本発明の移動体を適用した自動車の構成を示す斜視図である。自動車１５００には、振動素子２が搭載されている。振動素子２は、キーレスエントリー、イモビライザー、カーナビゲーションシステム、カーエアコン、アンチロックブレーキシステム（ＡＢＳ）、エアバック、タイヤ・プレッシャー・モニタリング・システム（ＴＰＭＳ：Tire Pressure Monitoring System）、エンジンコントロール、ハイブリッド自動車や電気自動車の電池モニター、車体姿勢制御システム、等の電子制御ユニット（ＥＣＵ：electronic control unit）に広く適用できる。なお、第２、第３実施形態の振動素子を内蔵してもよい。
【０１７６】
以上、本発明の振動素子、振動素子の製造方法、振動子、ジャイロセンサー、電子機器および移動体について、図示の実施形態に基づいて説明したが、本発明は、これに限定されるものではなく、各部の構成は、同様の機能を有する任意の構成のものに置換することができる。また、本発明に他の任意の構成物が付加されていてもよい。
【０１７７】
また、本発明は、前記各実施形態のうちの、任意の２以上の構成（特徴）を組み合わせたものであってもよい。
【符号の説明】
【０１７８】
１……振動子  １１、１３……導電性接着剤  ２……振動素子  ３……振動基板  ３１……第１の主面  ３２……第２の主面  ３３……側面  ３４……又部  ３６１〜３６６……平面  ３７１〜３７６……曲面  ３０……水晶基板  ４……基部  ５……振動腕  ５１、５２……主面  ５３、５４……側面  ５５、５６……溝  ６……振動腕  ６１、６２……主面  ６３、６４……側面  ６５、６６……溝  ８４……第１駆動用電極  ８５……第２駆動用電極  ９……パッケージ  ９１……ベース  １００……表示部  ９１１……凹部  ９２……リッド  ９５１、９６１……接続端子  ９５２、９６２…貫通電極  ９５３、９６３……外部端子  １１００……パーソナルコンピューター  １１０２……キーボード  １１０４……本体部  １１０６……表示ユニット  １２００……携帯電話機  １２０２……操作ボタン  １２０４……受話口  １２０６……送話口  １３００……ディジタルスチルカメラ  １３０２……ケース  １３０４……受光ユニット  １３０６……シャッターボタン  １３０８……メモリー  １３１２……ビデオ信号出力端子  １３１４……入出力端子  １４３０……テレビモニター  １４４０……パーソナルコンピューター  Ｆ１、Ｆ２……曲線  １５００……自動車  Ｍ１、Ｍ２、Ｍ３……マスク  Ｌ……線分  Ｔ……厚さ  ａ、ｂ……矢印  １Ａ……振動子  ２Ａ……振動素子  ２０Ａ……振動基板  ２１Ａ……基部  ２２１Ａ……駆動用振動腕  ２２２Ａ……駆動用振動腕  ２３１Ａ……検出用振動腕  ２３２Ａ……検出用振動腕  ２３Ａ……側面  ２５Ａ……支持部  ２６１Ａ……連結部  ２６２Ａ……連結部  ２６３Ａ……連結部  ２６４Ａ……連結部  ２７Ａ……第１の主面  ２８Ａ……第２の主面  ４Ａ……パッケージ  ４１Ａ……ベース部材（ベース）  ４１１Ａ……板体（板部）  ４１２Ａ……枠体（枠部）  ４２Ａ……蓋部材（リッド）  ５１Ａ……駆動用電極群  ５１１Ａ……駆動用電極  ５１２Ａ……駆動用電極  ５１３Ａ……駆動用電極  ５１４Ａ……駆動用電極  ５２Ａ……駆動用電極群  ５３Ａ……検出用電極群  ５３１Ａ……検出用電極  ５３２Ａ……検出用電極  ５３３Ａ……検出用電極  ５３４Ａ……検出用電極  ５４Ａ……検出用電極群  ５７ａ……端子  ５７ｂ……端子  ５７ｃ……端子  ５７ｄ……端子  ５７ｅ……端子  ５７ｆ……端子  ７１Ａ……内部端子  ７３Ａ……外部端子  ８１Ａ……接合部材  Ａ１……矢印  Ａ２……矢印  Ｂ１……矢印  Ｂ２……矢印  Ｃ１……矢印  Ｃ２……矢印  Ｄ１……矢印  Ｄ２……矢印  Ｅ１……矢印  Ｅ２……矢印  Ｌ１……長さ  Ｌ２……長さ  ω……角速度  １Ｂ……振動素子  ２Ｂ……振動基板  ２０Ｂ……振動部  ２１Ｂ……基部  ２２１Ｂ……第１検出腕  ２２１１Ｂ……ハンマーヘッド  ２２２Ｂ……第２検出腕  ２２２１Ｂ……ハンマーヘッド  ２３１Ｂ……第１連結腕  ２３２Ｂ……第２連結腕  ２４１Ｂ……第１駆動腕  ２４１１Ｂ……ハンマーヘッド  ２４２Ｂ……第２駆動腕  ２４２１Ｂ……ハンマーヘッド  ２４３Ｂ……第３駆動腕  ２４３１Ｂ……ハンマーヘッド  ２４４Ｂ……第４駆動腕  ２４４１Ｂ……ハンマーヘッド  ２５１Ｂ……第１支持部  ２５２Ｂ……第２支持部  ２６１Ｂ……第１梁  ２６１ａ……蛇行部  ２６１ｂ……傾斜部  ２６２Ｂ……第２梁  ２６２ａ……蛇行部  ��６２ｂ……傾斜部  ２６３Ｂ……第３梁  ２６３ａ……蛇行部  ２６３ｂ……傾斜部  ２６４Ｂ……第４梁  ２６４ａ……蛇行部  ２６４ｂ……傾斜部  ２７Ｂ……側面  ２８Ｂ……第１の主面  ２９Ｂ……第２の主面  ３１１Ｂ……検出信号電極  ３１２Ｂ……検出信号端子  ３２１Ｂ……検出接地電極  ３２２Ｂ……検出接地端子  ３３１Ｂ……駆動信号電極  ３３２Ｂ……駆動信号端子  ３４１Ｂ……駆動接地電極  ３４２Ｂ……駆動接地端子
【図１】
0006519995.tif 000002
【図２】
0006519995.tif 000003
【図３】
0006519995.tif 000004
【図４】
0006519995.tif 000005
【図５】
0006519995.tif 000006
【図６】
0006519995.tif 000007
【図７】
0006519995.tif 000008
【図８】
0006519995.tif 000009
【図９】
0006519995.tif 000010
【図１０】
0006519995.tif 000011
【図１１】
0006519995.tif 000012
【図１２】
0006519995.tif 000013
【図１３】
0006519995.tif 000014
【図１４】
0006519995.tif 000015
【図１５】
0006519995.tif 000016
【図１６】
0006519995.tif 000017
【図１７】
0006519995.tif 000018
【図１８】
0006519995.tif 000019
【図１９】
0006519995.tif 000020
【図２０】
0006519995.tif 000021
【図２１】
0006519995.tif 000022
【図２２】
0006519995.tif 000023